Podtech/llm-jp-corpus-v4-ja_patent huggingface dataset:
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
遊技の進行を制御するメイン制御手段と、
第１の種類に関する当選情報を記憶可能な第１記憶手段と、
第２の種類に関する当選情報を記憶可能な第２記憶手段とを備え、
前記メイン制御手段は、
特別遊技状態の開始条件を満たしたことに基づいて、特別遊技状態を開始するように制御し、
特別遊技状態では、特別役物の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、最小遊技時間が経過したと判定した後に、第１記憶手段に記憶された第１の種類に関する当選情報に基づいた試験信号を出力するための処理を実行可能とする
ことを特徴とする遊技機。
【手続補正２】
【補正対象書類名】明細書
【補正対象項目名】発明の名称
【補正方法】変更
【補正の内容】
【発明の名称】遊技機
【手続補正３】
【補正対象書類名】明細書
【補正対象項目名】００１８
【補正方法】変更
【補正の内容】
【００１８】
本発明は、特別遊技状態中において、特別役物が一時非作動となりながら連続的に作動していることを試験装置に識別させることが可能な遊技機を提供することを目的とする。
【手続補正４】
【補正対象書類名】明細書
【補正対象項目名】００１９
【補正方法】変更
【補正の内容】
【００１９】
本発明に係る下記の遊技機は、以下のような特徴を備えている。なお、以下の特徴構成の説明では、後述する実施形態において対応する構成の一例を括弧書きで示している。
請求項１の遊技機は、
遊技の進行を制御するメイン制御手段（例えば、主制御手段１００）と、
第１の種類に関する当選情報を記憶可能な第１記憶手段と、
第２の種類に関する当選情報を記憶可能な第２記憶手段とを備え、
前記メイン制御手段は、
特別遊技状態（例えば、ＢＢ作動状態）の開始条件を満たしたことに基づいて、特別遊技状態を開始するように制御し、
特別遊技状態では、特別役物（例えば、ＲＢ遊技）の作動を可能とし、
特別遊技状態の終了条件を満たしていない場合において、特別役物の終了条件を満たしたときは特別役物の作動を終了し、所定期間の待機処理を実行した後に、再度、特別役物の作動を開始可能とし、
前記メイン制御手段は、前記所定期間において割込み処理を実行可能とし、
前記メイン制御手段は、特別遊技状態において特別役物が作動していない前記所定期間で実行される割込み処理では、特別遊技状態であり、かつ、特別役物が作動していないことを示す試験信号を出力するための処理を実行可能とし、
前記メイン制御手段は、最小遊技時間が経過したと判定した後に、第１記憶手段に記憶された第１の種類に関する当選情報に基づいた試験信号を出力するための処理を実行可能とする
ことを特徴とする。
【手続補正５】
【補正対象書類名】明細書
【補正対象項目名】００２０
【補正方法】変更
【補正の内容】
【００２０】
参考の第１のスロットマシンの制御基板（例えば、主制御基板６０）は、演算処理を行う処理装置（例えば、メインＩＣ）が有する所定の入力端子（例えば、端子ＰＩ０）に接続されるプルアップ抵抗（例えば、抵抗Ｒ１）またはプルダウン抵抗（例えば、抵抗Ｒ２）と、役抽選のための演算処理（例えば、役決定処理）を実行可能であり、かつ、前記所定の入力端子にプルアップ抵抗が接続されていれば役抽選の結果を試験装置に出力するための所定の演算処理（例えば、当選情報出力期間タイマを設定する処理）を実行可能であり、前記所定の入力端子にプルダウン抵抗が接続されていれば前記所定の演算処理を実行しない前記処理装置と、を実装してなることを特徴とする。
【手続補正６】
【補正対象書類名】明細書
【補正対象項目名】００２２
【補正方法】変更
【補正の内容】
【００２２】
参考の第２のスロットマシンの制御基板（例えば、主制御基板６０）は、演算処理を行う処理装置（例えば、メインＩＣ）が有する所定の入力端子（例えば、端子ＰＩ０）に接続されるプルアップ抵抗（例えば、抵抗Ｒ１）またはプルダウン抵抗（例えば、抵抗Ｒ２）と、役抽選のための演算処理（例えば、役決定処理）を実行可能であり、かつ、前記所定の入力端子にプルダウン抵抗が接続されていれば役抽選の結果を試験装置に出力するための所定の演算処理（例えば、当選情報出力期間タイマを設定する処理）を実行可能であり、前記所定の入力端子にプルアップ抵抗が接続されていれば前記所定の演算処理を実行しない前記処理装置と、を実装してなることを特徴とする。
【手続補正７】
【補正対象書類名】明細書
【補正対象項目名】００２４
【補正方法】変更
【補正の内容】
【００２４】
上記遊技機によれば、特別遊技状態中において、特別役物が一時非作動となりながら連続的に作動していることを試験装置に識別させることが可能となる。
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
所定の情報を表示可能な表示部と、
遊技の進行に関する制御を行う主制御部と、
前記表示部に表示される画像の制御を行う副制御部と、
エラーが発生したことを検出するエラー検出手段と、を備え、
前記副制御部は、
前記エラー検出手段により検出された前記エラーに係るエラー情報を記憶するためのエラー情報履歴格納領域を含む記憶手段と、
前記エラー検出手段により前記エラーの発生が検出されたことに基づいて、前記エラーに係る前記エラー情報を前記エラー情報履歴格納領域に逐次記憶させるエラー情報登録手段と、
前記エラー情報履歴格納領域に記憶されたエラー情報履歴を前記表示部に表示させるエラー情報履歴表示手段と、を有し、
前記主制御部には、設定値の操作を行うための設定スイッチが接続されており、
前記エラー情報履歴表示手段は、前記設定スイッチがオン状態に操作され、かつ、前記エラー情報履歴を表示するためのメニューが選択された場合、前記表示部に前記エラー情報履歴を表示することを特徴とする遊技機。
【請求項２】
本体と、前記本体に開閉可能に取り付けられた前面扉と、
前記前面扉と前記本体とを閉じた状態で前記前面扉をロック状態またはアンロック状態に切り替えることが可能なロック機構と、を更に備え、
前記エラー情報履歴表示手段により前記エラー情報履歴が前記表示部へ表示される契機は、前記ロック機構がアンロック状態になり、且つ、前記本体と前記前面扉が開いた状態であることを特徴とする請求項１に記載の遊技機。
【手続補正２】
【補正対象書類名】明細書
【補正対象項目名】００１９
【補正方法】変更
【補正の内容】
【００１９】
そこで、本発明に係る遊技機は、所定の情報を表示可能な表示部と、遊技の進行に関する制御を行う主制御部と、前記表示部に表示される画像の制御を行う副制御部と、エラーが発生したことを検出するエラー検出手段と、を備え、前記副制御部は、前記エラー検出手段により検出された前記エラーに係るエラー情報を記憶するためのエラー情報履歴格納領域を含む記憶手段と、前記エラー検出手段により前記エラーの発生が検出されたことに基づいて、前記エラーに係る前記エラー情報を前記エラー情報履歴格納領域に逐次記憶させるエラー情報登録手段と、前記エラー情報履歴格納領域に記憶されたエラー情報履歴を前記表示部に表示させるエラー情報履歴表示手段と、を有し、前記主制御部には、設定値の操作を行うための設定スイッチが接続されており、前記エラー情報履歴表示手段は、前記設定スイッチがオン状態に操作され、かつ、前記エラー情報履歴を表示するためのメニューが選択された場合、前記表示部に前記エラー情報履歴を表示することを特徴とする。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
堆積した粒子状物質を構成部品から除去するための装置（１０）であって、
離間した直立支柱の対と、前記直立支柱に取り付けられてそれらに架かるガントリー梁とを含む可搬式のフレーム（１４）と、
前記ガントリー梁に可動に連結されたトロリと、
管状のランスであって、前記管状のランスの遠位端部にノズル（５２）を有する管状のランス（５０）と、
前記トロリおよび前記ランスを相互接続する釣合いデバイスであって、
前記ランスの近位端部に接続される引き込み可能なつなぎケーブルを含む釣合いデバイスと、
前記フレームと動作可能に関連している案内カラー組立体であって、前記案内カラー組立体が、前記ランスを包囲する管状の支持カラーを有し、前記案内カラー組立体が、支持受け台を含み、前記支持カラーが、接続ピンにより前記支持受け台に可動に接続される、案内カラー組立体と、
加圧流体の流れを通過させるための入口端部（７８−１）および出口端部（７８−２）ならびに吸引ポート（７８ａ）を有するベンチュリデバイス吸引力生成器（７８）と、
前記ランス（５０）の前記近位端部（５０ａ）を前記ベンチュリデバイス吸引力生成器の前記吸引ポート（７８ａ）に接続する可撓性のホース（７６）とを備え、
前記ランス（５０）を操作して前記ノズル（５２）を構成部品をわたって動かすことにより、堆積した粒子状物質を前記構成部品から前記ランス（５０）を通じて除去することが可能になる、装置。
【請求項２】
前記ノズルが黒鉛を含む、請求項１に記載の装置。
【請求項３】
前記ランスの前記遠位端部が、前記ランスの長手軸に対して実質的に直角である、請求項１に記載の装置。
【請求項４】
前記フレームが脚輪を含む、請求項１に記載の装置。
【請求項５】
前記フレームが、前記構成部品の近傍の隣接した支持梁に取り付けられるための少なくとも１つの安定化組立体を含む、請求項１に記載の装置。
【請求項６】
前記安定化組立体が、前記フレームに接続可能な結合部材と、前記構成部品の近傍の隣接した支持梁に接続可能な接続板と、前記結合部材および前記接続板を相互接続する引締めねじ組立体とを含む、請求項５に記載の装置。
【請求項７】
前記直立支柱の対が、高さ調節可能である、請求項１に記載の装置。
【請求項８】
前記ベンチュリデバイス吸引力生成器の前記出口端部に流体接続される入口端部と、排出端部とを有する濾過器組立体をさらに含み、前記濾過器組立体が、前記ベンチュリデバイス吸引力生成器の前記出口端部から同伴粒子状物質を含んだ加圧流体の流れを受け取って、実質的に粒子状物質が含まれていない加圧流体をその前記排出端部を通じて排出する、請求項１に記載の装置。
【請求項９】
吸引力により構成部品から粒子状物質を除去する方法であって、
（ａ）  粒子状物質が除去される構成部品に隣接して請求項１に記載の装置を位置決めするステップと、
（ｂ）  前記ベンチュリデバイス吸引力生成器を操作して、前記ランスの前記ノズルにおいて吸引力を生成するステップと、
（ｃ）  前記ランスを操作して前記構成部品をわたって前記ノズルを動かすことにより、前記生成された吸引力により前記構成部品から粒子状物質を除去するステップと、
（ｄ）  前記ランスを通じて、前記除去された粒子状物質を前記構成部品から移送するステップとを含む方法。
【請求項１０】
ステップ（ｄ）が、
（ｄ１）  前記粒子状物質を前記空気流に同伴させるステップと、
（ｄ２）  前記空気流および同伴粒子状物質を濾過器組立体に向かわせるステップと、
（ｄ３）  前記濾過器組立体内で前記空気流から前記同伴粒子状物質を除去するステップと、
（ｄ４）  前記濾過器組立体から実質的に粒子状物質が含まれていない空気流を排出するステップとを含む、請求項９に記載の方法。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
二色性色素と液晶性化合物とを含有する光吸収異方性膜であって、
前記液晶性化合物は、スメクチック液晶相を形成し、
膜面内の任意の一方向をｘ軸、膜面内でｘ軸に直交する方向をｙ軸、ｘ軸及びｙ軸に直交する膜厚方向をｚ軸としたときに、該膜の光吸光度が下記式（１）、（２）及び（３）を満たす光吸収異方性膜。
Ａｚ＞（Ａｘ＋Ａｙ）／２      （１）
Ａｘ（ｚ＝６０）／Ａｘ＞１０  （２）
Ａｙ（ｚ＝６０）／Ａｙ＞１０  （３）
（Ａｘ、Ａｙ、Ａｚ、Ａｘ（ｚ＝６０）及びＡｙ（ｚ＝６０）は、いずれも前記光吸収異方性膜中の前記二色性色素の吸収極大波長における吸光度であって、
Ａｘは、ｘ軸方向に振動する直線偏光の吸光度を表し、
Ａｙは、ｙ軸方向に振動する直線偏光の吸光度を表し、
Ａｚは、ｚ軸方向に振動する直線偏光の吸光度を表し、
Ａｘ（ｚ＝６０）は、ｙ軸を回転軸として前記膜を６０°回転させたときのｘ軸方向に振動する直線偏光の吸光度を表し、
Ａｙ（ｚ＝６０）は、ｘ軸を回転軸として前記膜を６０°回転させたときのｙ軸方向に振動する直線偏光の吸光度を表す。）
【請求項２】
X線回折測定においてブラッグピークを示す請求項１に記載の光吸収異方性膜。
【請求項３】
光吸収異方性膜中の前記二色性色素の吸収極大波長が、波長５００ｎｍ〜６００ｎｍの範囲にある請求項１又は２に記載の光吸収異方性膜。
【請求項４】
極大吸収波長の異なる、少なくとも３種の二色性色素を含有する請求項１〜３のいずれかに記載の光吸収異方性膜。
【請求項５】
光吸収異方性膜の膜厚が、５μｍ以下である請求項１〜４のいずれかに記載の光吸収異方性膜。
【請求項６】
請求項１〜５のいずれかに記載の光吸収異方性膜と、基材とを有する光学フィルム。
【請求項７】
基材と光吸収異方性膜との間に配向膜を含まない請求項６に記載の光学フィルム。
【請求項８】
請求項７記載の光学フィルムを製造する方法であって、下記（１）〜（４）の工程を、この順におこなう方法。
（１）基材に液晶性化合物と二色性色素と溶剤とを含有する組成物を塗布して塗布膜を形成する工程。
（２）塗布膜から溶剤を除去して、乾燥膜を形成する工程。
（３）乾燥膜を冷却して液晶相を発現させる工程。
（４）活性エネルギー線を照射して液晶性化合物を硬化させる工程。
【請求項９】
基材として長尺フィルムを使用し、光学フィルムを連続的に製造する請求項８に記載の方法。
【請求項１０】
請求項１〜５のいずれかに記載の光吸収異方性膜と、水平偏光膜とを積層させた３次元光吸収異方性膜であって、該水平偏光膜の吸収軸をｘ’軸とし、該水平偏光膜の透過軸をｙ’軸とし、ｘ’軸及びｙ’軸に直交する軸をｚ’軸としたときに、下記式（６）を満たす３次元光吸収異方性膜。
Ａｘ’＞Ａｚ’＞Ａｙ’      （６）
（Ａｘ’、Ａｙ’、Ａｚ’は、いずれも前記光吸収異方性膜中の前記二色性色素の吸収極大波長における前記３次元光吸収異方性膜の吸光度であって、
Ａｘ’は、ｘ’方向に振動する直線偏光の吸光度を表し、
Ａｙ’は、ｙ’方向に振動する直線偏光の吸光度を表し、
Ａｚ’は、ｚ’方向に振動する直線偏光の吸光度を表す。）
【請求項１１】
水平偏光膜が、ポリビニルアルコール及び二色性色素を含む請求項１０に記載の３次元光吸収異方性膜。
【請求項１２】
水平偏光膜が、二色性色素及び液晶性化合物を含有する、または液晶性を有する二色性色素を含有する請求項１０に記載の３次元光吸収異方性膜。
【請求項１３】
光吸収異性膜が、粘着剤または接着剤を介して、水平偏光膜上に積層されている請求項１０〜１２のいずれかに記載の３次元光吸収異方性膜。
【手続補正書】
【提出日】令和2年9月30日(2020.9.30)
【手続補正１】
【補正対象書類名】明細書
【補正対象項目名】発明の名称
【補正方法】変更
【補正の内容】
【発明の名称】液晶表示装置
【手続補正２】
【補正対象書類名】特許請求の範囲
【補正対象項目名】全文
【補正方法】変更
【補正の内容】
【特許請求の範囲】
【請求項１】
第１のトランジスタと、第２のトランジスタと、第３のトランジスタと、第１の液晶素子と、第２の液晶素子と、を有する画素を有し、
前記第１の液晶素子は、第１の画素電極を有し、
前記第２の液晶素子は、第２の画素電極を有し、
前記第１のトランジスタのソース又はドレインの一方は、前記第１の画素電極に電気的に接続され、
前記第２のトランジスタのソース又はドレインの一方は、前記第２の画素電極に電気的に接続され、
前記第２のトランジスタのソース又はドレインの一方は、前記第３のトランジスタのソース又はドレインの一方に電気的に接続され、
前記第１のトランジスタのソース又はドレインの他方は、ソース線に電気的に接続され、
前記第２のトランジスタのソース又はドレインの他方は、前記ソース線に電気的に接続され、
前記第１のトランジスタのゲートは、前記第２のトランジスタのゲートに電気的に接続され、
前記第２のトランジスタのソース又はドレインの一方として機能する第１の導電層は、前記第３のトランジスタのソース又はドレインの一方として機能する領域を有する液晶表示装置。
【請求項２】
第１のトランジスタと、第２のトランジスタと、第３のトランジスタと、第１の液晶素子と、第２の液晶素子と、を有する画素を有し、
前記第１の液晶素子は、第１の画素電極を有し、
前記第２の液晶素子は、第２の画素電極を有し、
前記第１のトランジスタのソース又はドレインの一方は、前記第１の画素電極に電気的に接続され、
前記第２のトランジスタのソース又はドレインの一方は、前記第２の画素電極に電気的に接続され、
前記第２のトランジスタのソース又はドレインの一方は、前記第３のトランジスタのソース又はドレインの一方に電気的に接続され、
前記第１のトランジスタのソース又はドレインの他方は、ソース線に電気的に接続され、
前記第２のトランジスタのソース又はドレインの他方は、前記ソース線に電気的に接続され、
前記第１のトランジスタのゲートは、ゲート線に電気的に接続され、
前記第２のトランジスタのゲートは、前記ゲート線に電気的に接続され、
前記第２のトランジスタのソース又はドレインの一方として機能する第１の導電層は、前記第３のトランジスタのソース又はドレインの一方として機能する領域を有し、
前記第１の導電層は、前記第２の画素電極と接する領域を有する液晶表示装置。
【請求項３】
請求項１又は請求項２において、
前記ゲート線が延びる方向に沿って延びるＣｓ線を有し、
前記第３のトランジスタのソース又はドレインの他方として機能する第２の導電層は、前記Ｃｓ線と重なる領域を有する液晶表示装置。
【請求項４】
請求項１乃至請求項３のいずれか一において、
上面視において、前記ゲート線は、前記第１のトランジスタ及び前記第２のトランジスタと重なる部分は、重ならない部分よりも幅が大きい液晶表示装置。
【請求項５】
請求項１乃至請求項４のいずれか一において、
前記第１の画素電極及び前記第２の画素電極は、透光性を有し、
前記液晶表示装置は透過型である液晶表示装置。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
検出対象となる物理量の大きさに応じて発生する磁束を伝達する一組のヨーク（３１、３２）が内部に設けられた取付穴（４２）を有するハウジング（４０２）と、
前記ハウジングの取付穴に取り付けられ、ケース（５０１、５０４）に収納された一つ以上の磁気センサ（７１、７２）により前記ヨークから伝達される磁束を検出する磁気検出モジュール（９０３、９０４）と、
を備える検出装置であって、
前記一組のヨークは、互いに対向し磁気回路を形成するリング部（３５、３６）を有し、
前記ハウジングの前記取付穴は、開口側に形成される大穴（４２６）、及び、前記大穴の奥に形成される小穴（４２５）を有し、
前記磁気検出モジュールは、前記取付穴の内壁に対向し、前記大穴に挿入される大軸部（８６６）、及び、前記小穴に挿入される小軸部（８６５）を有する筒部（８１３、８１４）、並びに、前記磁気センサが収納され、前記筒部の先端面から突出して一組の前記ヨークの前記リング部同士の間に挿入されるセンサ部（８４０）を有し、
前記磁気検出モジュールを前記ハウジングに組み付けるとき所定の相対角度に位置する姿勢のみで組み付け可能とし、前記所定の相対角度以外に位置する姿勢での誤組み付けを防止する誤組み付け防止部（８７５−８７７、４７５−４７７）が前記筒部又は前記ハウジングに設けられており、
前記取付穴及び前記筒部の軸方向と直交する方向において、
前記センサ部と前記リング部との最小間隔をセンサマージン（μ）と定義すると、前記大穴と前記大軸部との片側嵌合隙間（ε１）、又は、前記小穴と前記小軸部との片側嵌合隙間（ε２）のうち少なくとも一方は、前記センサマージンよりも小さく設定されている検出装置。
【請求項２】
前記誤組み付け防止部は、前記磁気検出モジュールを前記ハウジングに組み付けた後の前記ハウジングに対する回転を規制する回転規制部の機能を兼ねる請求項１に記載の検出装置。
【請求項３】
前記大穴と前記大軸部との片側嵌合隙間（ε１）が前記センサマージンよりも小さく設定されており、
前記取付穴及び前記筒部の軸方向において、前記大穴の挿入端から前記ヨークの前記リング部の外縁までの距離（Ｌｈ１）は、前記大軸部と前記小軸部との境界から前記センサ部の先端までの距離（Ｌｓ１）よりも長く設定されている請求項１または２に記載の検出装置。
【請求項４】
前記小穴と前記小軸部との片側嵌合隙間（ε２）が前記センサマージンよりも小さく設定されており、
前記取付穴及び前記筒部の軸方向において、前記ハウジングの前記小穴の挿入端から前記ヨークの前記周縁部の外縁までの距離（Ｌｈ２）は、前記筒部の先端面から前記センサ部の先端までの距離（Ｌｓ２）よりも長く設定されている請求項１または２に記載の検出装置。
【請求項５】
前記筒部の前記小軸部の外周に、前記ハウジングの取付穴の内壁との間で軸シールに用いられるシール材としてのＯリング（８９）が装着される請求項１〜４のいずれか一項に記載の検出装置。
【請求項６】
トルクに応じて捩じれ変位するトーションバー（１３）と、
前記トーションバーの一端側に固定された多極磁石（１４）と、
を前記ハウジング内にさらに備え、
前記一組のヨークは、前記トーションバーの他端側に固定され、前記多極磁石の磁界内に磁気回路を形成し、前記多極磁石の径外側で前記リング部を有し、
前記ヨークから伝達される磁束を前記磁気センサにより検出し、前記トーションバーに加わるトルクを検出するトルク検出装置として機能する請求項１〜５のいずれか一項に記載の検出装置。
【請求項７】
前記筒部（８１４）は、前記ケース（５０４）に一体に形成される請求項１〜６のいずれか一項に記載の検出装置。
【請求項８】
前記筒部は、前記ケース（５０１）の端部に装着されたキャップ（８０３）の板状のキャップ本体（８１３）により構成される請求項１〜６のいずれか一項に記載の検出装置。
【手続補正２】
【補正対象書類名】明細書
【補正対象項目名】発明の名称
【補正方法】変更
【補正の内容】
【発明の名称】検出装置
【手続補正３】
【補正対象書類名】明細書
【補正対象項目名】０００１
【補正方法】変更
【補正の内容】
【０００１】
本発明は、検出装置に関する。
【手続補正４】
【補正対象書類名】明細書
【補正対象項目名】００１２
【補正方法】変更
【補正の内容】
【００１２】
［本発明の目的］
本発明は上記課題に鑑みてなされたものであり、その目的は、内壁が円筒状の取付穴を有するハウジングに磁気検出モジュールが取り付けられる検出装置において、先端面から突出するセンサ部とハウジング側の部材との干渉を防止する検出装置を提供することにある。
【手続補正５】
【補正対象書類名】明細書
【補正対象項目名】００１９
【補正方法】変更
【補正の内容】
【００１９】
筒部は、取付穴の内壁に対向し、大穴に挿入される大軸部（８６６）、及び、小穴に挿入される小軸部（８６５）を有する。なお、筒部（８１４）は、ケース（５０４）に一体に形成されてもよい。或いは、筒部は、ケースの端部に装着されたキャップ（８０３）の板状のキャップ本体（８１３）により構成されてもよい。センサ部は、磁気センサが収納され、筒部の先端面から突出して一組のヨークのリング部同士の間に挿入される。
【手続補正６】
【補正対象書類名】明細書
【補正対象項目名】００２０
【補正方法】変更
【補正の内容】
【００２０】
磁気検出モジュールをハウジングに組み付けるとき所定の相対角度に位置する姿勢のみで組み付け可能とし、所定の相対角度以外に位置する姿勢での誤組み付けを防止する誤組み付け防止部（８７５−８７７、４７５−４７７）が筒部又はハウジングに設けられている。
【手続補正７】
【補正対象書類名】明細書
【補正対象項目名】００２３
【補正方法】変更
【補正の内容】
【００２３】
これにより、本発明の検出装置は、磁気検出モジュールを取付穴へ挿入する時の位置ずれや傾きが抑制される。したがって、センサ部がハウジング側の部材であるヨークのリング部と干渉することが防止される。
【手続補正８】
【補正対象書類名】明細書
【補正対象項目名】０１２０
【補正方法】変更
【補正の内容】
【０１２０】
（ｈ）本発明の検出装置は、電動パワーステアリング装置のトルク検出装置に限らず、検出対象となる物理量の大きさに応じて発生する磁束を検出するものであればよい。発生した磁束は、ハウジング内部に設けられた一組のヨークにより伝達され、磁気検出モジュールの磁気センサによって検出される。例えば可動体の回転や直線移動に応じて発生する磁束を検出する回転検出装置、位置検出装置等として利用可能である。
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
Ｘ軸及びＹ軸と平行なワーク載置面を有する定盤に載置されたワークをプローブで測定する三次元測定機において、
前記プローブを備えたＹ軸移動体と、
前記定盤よりも高い位置にＹ軸に沿って配置されたＹ軸直動ガイドであって且つ前記Ｙ軸移動体の一端をＹ軸方向に移動自在に支持するＹ軸直動ガイドと、
前記Ｙ軸直動ガイド側に備えられ、前記Ｙ軸直動ガイドに沿って前記Ｙ軸移動体を移動させるＹ軸駆動手段と、
前記定盤の一部をガイド面として前記Ｙ軸移動体の他端を浮上支持するエアベアリングと、
を備えた三次元測定機。
【手続補正書】
【提出日】令和2年7月14日(2020.7.14)
【手続補正１】
【補正対象書類名】特許請求の範囲
【補正対象項目名】全文
【補正方法】変更
【補正の内容】
【特許請求の範囲】
【請求項１】
抗体の集団を含む組成物であって、
前記抗体の集団中の抗体がトランスジェニック非ヒト哺乳動物の乳腺上皮細胞において産生された抗ＴＮＦ−α抗体であり、および
前記集団中の前記抗体のガラクトシル化のレベルが、少なくとも５％のモノガラクトシル化Ｎ−グリカンおよび少なくとも１０％の二ガラクトシル化Ｎ−グリカンを含み、かつ
前記抗体の集団中の前記抗体が、配列番号１を含む重鎖および配列番号２を含む軽鎖を含む、
組成物。
【請求項２】
前記集団中の前記抗体のフコシル化のレベルに対する前記集団中の前記抗体のガラクトシル化のレベルの比が、１．０から１．４の間である、請求項１記載の組成物。
【請求項３】
前記集団中の前記抗体の少なくとも３５％が二ガラクトシル化Ｎ−グリカンを含み、かつ前記集団中の前記抗体の少なくとも２５％がモノガラクトシル化Ｎ−グリカンを含む、請求項１または２記載の組成物。
【請求項４】
前記抗体の集団が、乳腺上皮細胞において産生されたものではない抗体の集団と比較して、増加したレベルの補体依存性細胞傷害（ＣＤＣ）活性を有する、請求項１〜３いずれか１項記載の組成物。
【請求項５】
前記抗体の集団が、乳腺上皮細胞において産生されたものではない抗体の集団と比較して、増加したレベルの抗体依存性細胞傷害（ＡＤＣＣ）活性を有する、請求項１〜４いずれか１項記載の組成物。
【請求項６】
前記集団中の前記抗体のフコシル化のレベルが少なくとも３０％である、請求項１〜５いずれか１項記載の組成物。
【請求項７】
前記集団中の前記抗体のフコシル化のレベルが少なくとも４０％である、請求項１〜５いずれか１項記載の組成物。
【請求項８】
前記抗体がトランスジェニック産生されたアダリムマブである、請求項１〜７いずれか１項記載の組成物。
【請求項９】
前記非ヒト哺乳動物が、ヤギ、ヒツジ、バイソン、ラクダ、ウシ、ブタ、ウサギ、バッファロー、ウマ、ラット、マウスまたはラマである、請求項１〜８のいずれか１項記載の組成物。
【請求項１０】
前記非ヒト哺乳動物がヤギである、請求項１〜９のいずれか１項記載の組成物。
【請求項１１】
炎症性疾患または自己免疫疾患を有する対象に投与される、請求項１〜１０のいずれか１項記載の組成物。
【請求項１２】
抗体の集団を作製する方法であって、
抗体の集団が産生されるようにヤギの乳腺上皮細胞において抗体の集団を発現させる工程を含み、
前記抗体が抗ＴＮＦ−α抗体であり、
前記集団中の抗体のガラクトシル化のレベルが少なくとも５％のモノガラクトシル化Ｎ−グリカンおよび少なくとも１０％の二ガラクトシル化Ｎ−グリカンを含み、かつ
前記抗体の集団中の前記抗体が、配列番号１を含む重鎖および配列番号２を含む軽鎖を含む、
方法。
【請求項１３】
請求項１〜１１のいずれか１項記載の組成物の抗体の集団を産生する、乳腺上皮細胞。
【請求項１４】
請求項１３記載の乳腺上皮細胞を含む、トランスジェニック非ヒト哺乳動物。
【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
（a）ベルベリンまたはその誘導体もしくは類縁体；
（b）1つまたは複数の薬理活性有機酸；および
（c）任意で、薬学的に許容される賦形剤、担体、または希釈剤
を含む、組成物であって、
ベルベリンおよび薬理活性有機酸が、対象に投与したときに、ヒトを含む哺乳動物の、代謝障害、アテローム性動脈硬化症、心疾患、神経変性疾患、肝疾患、サルコペニア、筋萎縮症、炎症、およびがんから選択される1つもしくは複数の疾患もしくは障害、またはその関連する疾患もしくは障害を処置、予防、または軽減するのに十分な量で存在する、
組成物。
【請求項２】
代謝障害、心疾患、神経変性疾患、肝疾患を処置、または軽減するための薬学的組成物であって、
（a）ベルベリンまたはその誘導体もしくは類縁体；
（b）治療的有効量の1つまたは複数の薬理活性有機酸、および
（c）薬学的に許容される賦形剤、担体、または希釈剤
を含む薬学的組成物。
【請求項３】
（i）ベルベリンまたはその誘導体もしくは類縁体である第一の作用物質；
（ii）薬学的活性有機酸または薬学的活性有機酸を含む天然抽出物から選択される1つまたは複数の第二の作用物質；
（iii）ビタミンD、ビタミンC、ビタミンE、ビタミンB12、ビタミンA、ベンフォチアミン、ピコリン酸クロムおよびバナジウムからなる群より選択される1つまたは複数の第三の作用物質；ならびに
（iv）第一の作用物質、第二の作用物質および第三の作用物質を、代謝障害、アテローム性動脈硬化症、心疾患、サルコペニア、筋萎縮症、神経変性疾患、肝疾患、およびがんから選択される1つまたは複数の疾患または障害を有する、またはそれを有するリスクのある患者に投与するための説明書
を含む、キット。
【請求項４】
以下の式を有する、実質的に純粋な形の酸-塩基付加塩：
X+U- 
式中
（a）U-はウルソデオキシコール酸またはその誘導体もしくは類縁体のアニオン部分であり；
（b）X+は薬理活性有機塩基のカチオン部分である。
【請求項５】
ウルソデオキシコール酸の誘導体または類縁体が表3から選択される、請求項4記載の酸-塩基付加塩。
【請求項６】
薬理活性有機塩基が、ベルベリンまたはその誘導体もしくは類縁体である、請求項4または5記載の酸-塩基付加塩。
【請求項７】
ベルベリンの誘導体または類縁体が表2から選択される、請求項6記載の酸-塩基付加塩。
【請求項８】
有効な量の請求項4〜7のいずれか一項記載の酸-塩基付加塩と、薬学的に許容される賦形剤、担体、または希釈剤とを含む、疾患または障害を処置、または軽減するための薬学的組成物。
【請求項９】
疾患または障害が、脂肪肝またはNASHもしくはNAFLDである、請求項8記載の薬学的組成物。
【請求項１０】
疾患または障害が、胆汁うっ滞性肝疾患、肝臓の移植片対宿主病、慢性ウイルス関連肝疾患、またはアルコール関連肝疾患である、請求項8記載の薬学的組成物。
【請求項１１】
疾患または障害が、糖尿病前症、糖尿病、高脂血症、糖尿病性脂質異常症、またはスタチン不耐性患者における脂質異常症である、請求項8記載の薬学的組成物。
【請求項１２】
疾患または障害が肥満である、請求項8記載の薬学的組成物。
【手続補正書】
【提出日】令和2年10月26日(2020.10.26)
【手続補正１】
【補正対象書類名】特許請求の範囲
【補正対象項目名】全文
【補正方法】変更
【補正の内容】
【特許請求の範囲】
【請求項１】
配列番号2の全長に対して少なくとも95％同一である短縮型ヒト網膜色素変性症GTPase調節因子（RPGR）タンパク質をコードする核酸。
【請求項２】
（a）前記短縮型ヒトRPGRタンパク質をコードする核酸がヒトロドプシンキナーゼ（hRK）プロモーターの制御下にある、および/または
（b）前記短縮型ヒトRPGRタンパク質をコードする核酸が配列番号5を含むhRKプロモーターの制御下にある、および/または
（c）前記短縮型ヒトRPGRタンパク質をコードする核酸が実質的に配列番号5からなるhRKプロモーターの制御下にある、
請求項1に記載の核酸。
【請求項３】
配列番号２を含む短縮型ヒトRPGRタンパク質をコードする、請求項1または2に記載の核酸。
【請求項４】
配列番号２からなる短縮型ヒトRPGRタンパク質をコードする、請求項1〜3のいずれか1項に記載の核酸。
【請求項５】
前記短縮型ヒトRPGRタンパク質をコードする核酸が配列番号1の全長に対して少なくとも95％同一である、請求項1〜4のいずれか1項に記載の核酸。
【請求項６】
網膜色素変性症GTPase調節因子（RPGR）タンパク質をコードする遺伝子中の機能喪失突然変異に起因するX連鎖性網膜色素変性症（XLRP）または別の眼科的症状を有するヒト被験体の治療のための、請求項1〜5のいずれか1項に記載の核酸を含む医薬組成物。
【請求項７】
請求項1〜5のいずれか1項に記載の核酸を含む、ウイルスベクター。
【請求項８】
アデノ随伴ウイルスベクターである、請求項7に記載のウイルスベクター。
【請求項９】
前記アデノ随伴ウイルスベクターがAAV-2またはAAV-8である、請求項8に記載のウイルスベクター。
【請求項１０】
前記アデノ随伴ウイルスベクターがAAV2/8である、請求項8に記載のウイルスベクター。
【請求項１１】
網膜色素変性症GTPase調節因子（RPGR）タンパク質をコードする遺伝子中の機能喪失突然変異に起因するX連鎖性網膜色素変性症（XLRP）または別の眼科的症状を有するヒト被験体の治療のための、請求項7〜10のいずれか1項に記載のウイルスベクターを含む医薬組成物。
【請求項１２】
請求項7〜10のいずれか1項に記載のウイルスベクター、または請求項1〜5のいずれか1項に記載の核酸を含む、単離された宿主細胞。
【請求項１３】
短縮型ヒトRPGRタンパク質を発現する、請求項12に記載の単離された宿主細胞。
【請求項１４】
網膜色素変性症GTPase調節因子（RPGR）タンパク質をコードする遺伝子中の機能喪失突然変異に起因するX連鎖性網膜色素変性症（XLRP）または別の眼科的症状を有するヒト被験体の治療での使用のための、短縮型ヒトRPGRタンパク質をコードする核酸を含むウイルスゲノムを含むアデノ随伴ウイルスベクターを含む医薬組成物であって、該核酸が、配列番号2の全長に対して少なくとも95％同一であるタンパク質をコードする、上記医薬組成物。
【請求項１５】
前記短縮型ヒトRPGRタンパク質をコードする核酸がヒトロドプシンキナーゼ（hRK）プロモーターの制御下にある、請求項14に記載の医薬組成物。
【請求項１６】
（a）前記hRKプロモーターが配列番号5を含むかまたは実質的に配列番号5からなる、および/または
（b）前記短縮型ヒトRPGRタンパク質をコードする核酸が配列番号1に対して少なくとも95％同一である配列を含むかまたは実質的に該配列からなる、
請求項14または15に記載の医薬組成物。
【請求項１７】
前記アデノ随伴ウイルスベクターが、AAV-2またはAAV-8である、請求項14〜16のいずれか1項に記載の医薬組成物。
【請求項１８】
前記アデノ随伴ウイルスベクターが、AAV2/8である、請求項14〜16のいずれか1項に記載の医薬組成物。
【請求項１９】
前記核酸が、配列番号2を含むタンパク質をコードする、請求項14〜18のいずれか1項に記載の医薬組成物。
【請求項２０】
前記核酸が、配列番号2からなるタンパク質をコードする、請求項14〜18のいずれか1項に記載の医薬組成物。
【請求項２１】
（a）前記使用が、約2×1010vg/mLの用量、約2×1011vg/mLの用量、または約2×1012vg/mLの用量で前記ウイルスベクターを投与することを含む、および/または
（b）前記ウイルスベクターが網膜下腔へと投与される、
請求項14〜20のいずれか1項に記載の医薬組成物。
【請求項２２】
ミクロ注入カニューレを、視神経の側頭側かつ主要アーケード血管（major arcade vessel）の直上にて、網膜下腔へと挿入し、それにより液流が黄斑へと向かうことができるようにする、請求項21に記載の医薬組成物。
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
プラダー−ウィリ症候群を有する対象における高グレリン血症（ｈｙｐｅｒｇｈｒｅｌｉｎｅｍｉａ）を軽減するための薬学的製剤であって、前記薬学的製剤が、有効量のＫＡＴＰチャネル開口薬またはその薬学的に許容される塩を含み、前記薬学的製剤が前記対象に少なくとも１０週間投与される、薬学的製剤。
【請求項２】
前記ＫＡＴＰチャネル開口薬がジアゾキシドである、請求項１に記載の薬学的製剤。
【請求項３】
前記薬学的に許容される塩がジアゾキシドコリンである、請求項１または２に記載の薬学的製剤。
【請求項４】
ジアゾキシド、その薬学的に許容される塩、前記ＫＡＴＰチャネル開口薬、またはその薬学的に許容される塩が経口投与される、請求項１〜３のいずれか一項に記載の薬学的製剤。
【請求項５】
前記薬学的製剤が、ジアゾキシド、その薬学的に許容される塩、前記ＫＡＴＰチャネル開口薬、またはその薬学的に許容される塩の放出速度に影響する少なくとも１種の賦形剤を含む、請求項１〜４のいずれか一項に記載の薬学的製剤。
【請求項６】
前記薬学的製剤が、ジアゾキシド、その薬学的に許容される塩、前記ＫＡＴＰチャネル開口薬、またはその薬学的に許容される塩の放出を遅延させる少なくとも１種の賦形剤を含む、請求項１〜５のいずれか一項に記載の薬学的製剤。
【請求項７】
前記薬学的製剤が、少なくとも１種の他の活性成分をさらに含む、請求項１〜６のいずれか一項に記載の薬学的製剤。
【請求項８】
前記対象への前記薬学的製剤の投与の後、前記対象の除脂肪体重または除脂肪体重／脂肪量比が、少なくとも２％増加する、請求項１〜７のいずれか一項に記載の薬学的製剤。
【請求項９】
前記対象への前記薬学的製剤の投与の後、前記対象の除脂肪体重または除脂肪体重／脂肪量比が、少なくとも３％増加する、請求項１〜７のいずれか一項に記載の薬学的製剤。
【請求項１０】
前記対象への前記薬学的製剤の投与の後、前記対象の除脂肪体重または除脂肪体重／脂肪量比が、少なくとも４％増加する、請求項１〜７のいずれか一項に記載の薬学的製剤。
【請求項１１】
前記対象への前記薬学的製剤の投与の後、前記対象の除脂肪体重または除脂肪体重／脂肪量比が、少なくとも５％増加する、請求項１〜７のいずれか一項に記載の薬学的製剤。
【請求項１２】
前記薬学的製剤が、前記対象に１年以上投与される、請求項１〜１１のいずれか一項に記載の薬学的製剤。
【請求項１３】
前記対象への前記薬学的製剤の投与の後、前記対象の過食が少なくとも１０％低減する、請求項１〜１２のいずれか一項に記載の薬学的製剤。
【請求項１４】
前記対象への前記薬学的製剤の投与の後、前記対象の過食が少なくとも２０％低減する、請求項１〜１２のいずれか一項に記載の薬学的製剤。
【請求項１５】
前記対象への前記薬学的製剤の投与の後、前記対象の過食が少なくとも３０％低減する、請求項１〜１２のいずれか一項に記載の薬学的製剤。
【請求項１６】
前記対象への前記薬学的製剤の投与の後、ＩＧＦ−１の血中濃度（ｃｉｒｃｕｌａｔｉｎｇ  ｃｏｎｃｅｎｔｒａｔｉｏｎ）が増加しない、請求項１〜１５のいずれか一項に記載の薬学的製剤。
【請求項１７】
前記薬学的製剤が前記対象に１日２回投与される、請求項１〜１６のいずれか一項に記載の薬学的製剤。
【請求項１８】
前記薬学的製剤が前記対象に１日１回投与される、請求項１〜１６のいずれか一項に記載の薬学的製剤。
【請求項１９】
前記投与が、前記対象にヒト成長ホルモンを投与することをさらに含む、請求項１〜１８のいずれか一項に記載の薬学的製剤。
【請求項２０】
前記ヒト成長ホルモンが注射により投与される、請求項１９に記載の薬学的製剤。
【請求項２１】
前記投与が、前記対象にヒト成長ホルモンを投与することを含まない、請求項１〜１８のいずれか一項に記載の薬学的製剤。
【請求項２２】
プラダー−ウィリ症候群を有する対象における高グレリン血症（ｈｙｐｅｒｇｈｒｅｌｉｎｅｍｉａ）を軽減するための薬学的製剤の製造における、ＫＡＴＰチャネル開口薬またはその薬学的に許容される塩の使用であって、前記薬学的製剤は、有効量のＫＡＴＰチャネル開口薬またはその薬学的に許容される塩を含み、前記薬学的製剤が前記対象に少なくとも１０週間投与される、使用。
【請求項２３】
前記ＫＡＴＰチャネル開口薬がジアゾキシドである、請求項２２に記載の使用。
【請求項２４】
前記薬学的に許容される塩がジアゾキシドコリンである、請求項２２または２３に記載の使用。
【請求項２５】
前記薬学的製剤が、ジアゾキシド、その薬学的に許容される塩、前記ＫＡＴＰチャネル開口薬、またはその薬学的に許容される塩の放出速度に影響する少なくとも１種の賦形剤を含む、請求項２２〜２４のいずれか一項に記載の使用。
【請求項２６】
前記薬学的製剤が、ジアゾキシド、その薬学的に許容される塩、前記ＫＡＴＰチャネル開口薬、またはその薬学的に許容される塩の放出を遅延させる少なくとも１種の賦形剤を含む、請求項２２〜２５のいずれか一項に記載の使用。
【請求項２７】
前記薬学的製剤が、少なくとも１種の他の活性成分をさらに含む、請求項２２〜２６のいずれか一項に記載の使用。
【請求項２８】
前記対象への前記薬学的製剤の投与の後、前記対象の除脂肪体重または除脂肪体重／脂肪量比が、少なくとも２％増加する、請求項２２〜２７のいずれか一項に記載の使用。
【請求項２９】
前記対象への前記薬学的製剤の投与の後、前記対象の過食が少なくとも１０％低減する、請求項２２〜２８のいずれか一項に記載の使用。
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
(a) 2ミクロン未満の有効平均粒子径を有するインジルビンまたはその誘導体の粒子；および
(b) ポロキサマー、ポリオキシエチレンソルビタン脂肪酸エステル、ゼラチン、ラウリル硫酸ナトリウム、デキストラン、ポリエチレングリコール、ポリビニルピロリドン、ポリビニルアルコール、多糖、リン脂質、ポリリシン、システイン塩酸塩、トリトン、一級アンモニウム化合物、二級アンモニウム化合物、三級アンモニウム化合物、四級アンモニウム化合物、およびそれらの組み合わせからなる群より選択される少なくとも１つの表面安定剤
を含むものであるナノ微粒子インジルビン組成物。
【請求項２】
インジルビン粒子の有効平均粒子径が1000nm未満、または500nm未満である、請求項１に記載の組成物。
【請求項３】
インジルビン粒子の少なくとも約70％が有効平均粒子径未満の粒子径を有する、請求項１に記載の組成物。
【請求項４】
組成物が経口、直腸、眼、嚢内、肺、膣内、腹腔内、局所(例えば、粉末、軟膏もしくは点滴として）、頬側または経鼻投与用に製剤された、あるいは、非経口(例えば、静脈内、筋肉内、もしくは皮下)投与用に製剤された、あるいは、組成物が１以上の製薬上許容される賦形剤、担体、またはそれらの組み合わせをさらに含むものである、あるいは、組成物が0.1（l/s）のせん断速度にて2000mPas未満の粘度を有する液体投与剤形に製剤された、請求項１に記載の組成物。
【請求項５】
他の賦形剤を含まない、インジルビンまたはその誘導体と少なくとも１つの表面安定剤の総組み合わせ乾重量に基づいて、インジルビンまたはその誘導体が約80重量％〜約99.9999重量％存在する、請求項１に記載の組成物。
【請求項６】
他の賦形剤を含まない、インジルビンまたはその誘導体と少なくとも１つの表面安定剤の総組み合わせ乾重量に基づいて、少なくとも１つの表面安定剤が約0.0001重量％〜約20重量％の量で存在する、請求項１に記載の組成物。
【請求項７】
2ミクロン超の有効平均粒子径を有するインジルビン組成物をさらに含むものである、または2ミクロン未満の有効平均粒子径を有する少なくとも１つの追加のナノ微粒子インジルビン組成物をさらに含み、ここで前記追加のナノ微粒子インジルビン組成物は請求項１に記載のナノ微粒子インジルビン組成物の有効平均粒子径と異なる有効平均粒子径を有するものである、または、少なくとも１つの非インジルビン活性薬をさらに含むものである、請求項１に記載の組成物。
【請求項８】
投与すると組成物は再分散し、インジルビン粒子が2ミクロン未満の有効平均粒子径を有するようになる、または、組成物は生物関連媒質中で再分散し、インジルビン粒子が2ミクロン未満の有効平均粒子径を有するようになる、請求項１に記載の組成物。
【請求項９】
請求項１〜８のいずれか1項に記載のナノ微粒子インジルビン組成物を作製する方法であって、インジルビン粒子を、請求項１に記載の少なくとも１つの表面安定剤と接触させて、2ミクロン未満の有効平均粒子径を有するナノ微粒子インジルビン組成物を与えるステップを含むものである前記方法。
【請求項１０】
前記接触させるステップが粉砕するステップ、好ましくは湿式粉砕するステップを含むものである、請求項９に記載の方法。
【請求項１１】
前記接触させるステップが均質化および乳濁化するステップを含むものである、請求項９に記載の方法。
【請求項１２】
前記接触させるステップが
(a)インジルビン粒子を溶媒に溶解するステップ；
(b)得られるインジルビン溶液を前記少なくとも１つの表面安定剤を含む溶液に加えるステップ
(c)可溶化したインジルビンと前記少なくとも１つの表面安定剤を沈降させるステップ
を含むものである、請求項９に記載の方法。
【請求項１３】
それを必要とする被験体の癌の治療に使用するための請求項１〜８のいずれか1項に記載のナノ微粒子インジルビン組成物であって、癌が好ましくはグリア芽細胞腫または白血病であり、より好ましくは前記被験体がヒトである、前記組成物。
【請求項１４】
それを必要とする被験体の炎症性疾患の治療に使用するための請求項１〜８のいずれか1項に記載のナノ微粒子インジルビン組成物であって、炎症性疾患が好ましくは乾癬であり、より好ましくは前記被験体がヒトである、前記組成物。
【請求項１５】
それを必要とする被験体の神経変性障害の治療に使用するための請求項１〜８のいずれか1項に記載のナノ微粒子インジルビン組成物であって、神経変性障害が好ましくはアルツハイマー病であり、より好ましくは前記被験体がヒトであり、さらにより好ましくは、組成物が血液脳関門の透過性を増強する薬剤と組み合わせて使用される、前記組成物。
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
患者の鼻ポリープ又は鼻ポリープを有する若しくは有さない慢性鼻副鼻腔炎を治療的に処置するための治療薬であって、
前記治療薬は、第１のステップにおいて、マウスピース及びノーズピースを備える送出装置によって１００μｇ〜４００μｇの量で配送されて投与され、かつ、
第２のステップにおいて、前記マウスピースが患者の口に配置され、前記ノーズピースが患者の第１の鼻孔に配置されると共に、前記第１の鼻孔内に前記ノーズピースから出る流体の流れが生成されるよう、患者が前記マウスピースに息を吐き出すことにより、患者の第１の鼻道の内部の第１の位置に治療量の二酸化炭素が配送され、
前記二酸化炭素は、前記患者の前記第１の鼻道の内部の前記第１の位置において鼻粘膜のｐＨを降下させ、
前記第１のステップが、前記第２のステップの前または前記第２のステップと同時に実行される、治療薬。
【請求項２】
前記第１のステップは、前記第２のステップの前に実行される、請求項１に記載の治療薬。
【請求項３】
前記第１のステップは、前記第２のステップと同時に実行される、請求項１に記載の治療薬。
【請求項４】
前記位置は、鼻道の上後領域を含む、請求項１に記載の治療薬。
【請求項５】
前記治療薬は、任意選択でフルチカゾン、任意選択でプロピオン酸フルチカゾンの形態であり、任意選択で液体エアロゾルとして投与される、コルチコステロイドを含む、請求項１に記載の治療薬。
【請求項６】
前記治療薬は、１００μｇの量で、任意選択で１日に２回配送される、請求項１に記載の治療薬。
【請求項７】
前記治療薬は、２００μｇの量で、任意選択で１日に２回配送される、請求項１に記載の治療薬。
【請求項８】
前記治療薬は、４００μｇの量で、任意選択で１日に２回配送される、請求項１に記載の治療薬。
【請求項９】
前記第２のステップは、前記位置におけるｐＨを、約０．０１〜約０．５ｐＨ単位の範囲の量だけ降下させる、請求項１に記載の治療薬。
【請求項１０】
前記量は、約０．１〜約０．２ｐＨ単位の範囲である、請求項９に記載の治療薬。
【請求項１１】
前記第２のステップにおいて、前記流体の流れを制御することによって前記位置におけるｐＨが降下されることをさらに含む、請求項１に記載の治療薬。
【請求項１２】
前記流体の流れの制御は、前記流体の流れの継続時間、流量、圧力、および組成の少なくとも１つを制御することを含む、請求項１１に記載の治療薬。
【請求項１３】
前記流体の流れの継続時間を約２〜約３秒の範囲となるように制御することを含む、請求項１２に記載の治療薬。
【請求項１４】
前記流体の流れの流量を、少なくとも１０Ｌ／分、任意選択で少なくとも２０Ｌ／分、および任意選択で少なくとも３０Ｌ／分に制御することを含む、請求項１３に記載の治療薬。
【請求項１５】
前記第２のステップにおいて、前記ノーズピースが患者の第２の鼻孔に配置されると共に、前記ノーズピースから出る第２の流体の流れが生成されるよう、患者が前記マウスピースに息を吐き出すことにより、第２の鼻道の内部の第２の位置に治療量の二酸化炭素が配送され、
前記二酸化炭素は、前記患者の前記第２の鼻道の内部の前記第２の位置において鼻粘膜のｐＨを降下させる、請求項１に記載の治療薬。
【請求項１６】
患者の鼻ポリープを有する又は有さない慢性鼻副鼻腔炎を処置する、請求項１に記載の治療薬。
【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
小児患者に鎮静を提供するための医薬組成物であって、
前記医薬組成物がデクスメデトミジン又はその医薬的に許容できる塩を含み、
前記医薬組成物が、集中治療環境において小児患者に鎮静を提供する方法に用いられ、
前記方法において、デクスメデトミジンは、約0.2〜約1.4μg/kg/時間の維持量として投与され、
前記方法において、デクスメデトミジンは、前記小児患者への静脈内持続注入として投与され、かつ
前記小児患者が約17歳以下である、
ことを特徴とする、医薬組成物。
【請求項２】
前記小児患者が人工呼吸中である、請求項１に記載の医薬組成物。
【請求項３】
前記小児患者が約6歳以上であり、かつ、前記維持量が約0.2〜約1.0μg/kg/時間である、請求項１又は２に記載の医薬組成物。
【請求項４】
前記小児患者が早期新生児又は約6歳未満である、請求項１又は２に記載の医薬組成物。
【請求項５】
前記維持量が約0.4〜約0.7μg/kg/時間である、請求項１〜４のいずれか一項に記載の医薬組成物。
【請求項６】
前記デクスメデトミジンが、約24時間以下の期間にわたる静脈内持続注入として投与される、請求項１〜５のいずれか一項に記載の医薬組成物。
【請求項７】
液体組成物である、請求項１〜６のいずれか一項に記載の医薬組成物。
【請求項８】
小児患者に鎮静を提供するための医薬組成物であって、
前記医薬組成物がデクスメデトミジン又はその医薬的に許容できる塩を含み、
前記医薬組成物が、麻酔下における非挿管での手術又は処置時に、小児患者に鎮静を提供する方法に用いられ、
前記方法において、デクスメデトミジンは、約0.2〜約0.7μg/kg/時間の維持量として投与され、
前記方法において、デクスメデトミジンは、前記小児患者への静脈内持続注入として投与され、かつ
前記小児患者が約17歳以下である、
ことを特徴とする、医薬組成物。
【請求項９】
前記維持量が約0.4〜約0.7μg/kg/時間である、請求項８に記載の医薬組成物。
【請求項１０】
前記デクスメデトミジンを、前記静脈内持続注入の前に、約6μg/kgの初回負荷量として、約10分間の時間にわたって静脈内投与する、請求項８又は９に記載の医薬組成物。
【請求項１１】
液体組成物である、請求項８〜１０のいずれか一項に記載の医薬組成物。
【手続補正書】
【提出日】令和2年10月8日(2020.10.8)
【手続補正１】
【補正対象書類名】特許請求の範囲
【補正対象項目名】全文
【補正方法】変更
【補正の内容】
【特許請求の範囲】
【請求項１】
異常が検知されたときに報知を行う報知手段と、
遊技機の外部に信号を出力可能な外部出力手段と、
音を出力可能な音出力手段と、
遊技者からの操作を受ける操作手段と、
前記操作手段への調整操作に応じて前記音出力手段から出力される音の音量を調整可能な調整手段と、
前記調整手段により前記音出力手段から出力される音の音量が調整される際に所定の調整画像を所定の表示手段に表示可能な調整画像表示制御手段と、を備え、
前記報知手段が報知を行う異常には、前記外部出力手段から信号出力が行われる第１異常と、前記外部出力手段から信号出力が行われない第２異常とがあり、
前記調整画像表示制御手段は、前記報知手段により前記第１異常又は前記第２異常の報知が行われているとき、前記調整画像を表示可能であり、前記報知手段により前記第２異常の報知が行われているときには前記調整操作に応じて前記調整画像の表示内容を変更する一方、前記報知手段により前記第１異常の報知が行われているときには前記調整操作に応じて前記調整画像の表示内容を変更しない
ことを特徴とする遊技機。